(57)【要約】【課題】本発明は、運転効率と、貯蔵される食品等の品質維持性能と、が向上された冷蔵庫を得るものである。また、本発明は、運転効率と、貯蔵される食品等の品質維持性能と、が向上された冷蔵庫の制御方法を得るものである。【解決手段】冷蔵庫１００は、貯蔵室と、圧縮機１２と凝縮器１３と減圧器１４と蒸発器１５とが配管で接続された冷媒循環回路１１と、蒸発器１５が配設された冷却室５と、冷却室５から貯蔵室に吹き出される冷風の風量を調節する風量調節部と、圧縮機１２と風量調節器との動作を制御する制御部９１と、を備え、制御部９１は、圧縮機１２の回転数を、冷媒循環回路１１の冷媒の蒸発温度を目標蒸発温度に近づける回転数に変化させ、且つ、風量調節部の風量を、貯蔵室の室内温度を目標室内温度に近づける風量に変化させるものである。【選択図】図１
2015114091.tif 000002
【特許請求の範囲】
【請求項１】
貯蔵室と、
圧縮機と、凝縮器と、減圧器と、蒸発器と、が配管で接続された冷媒循環回路と、
前記蒸発器が配設された冷却室と、
前記冷却室から前記貯蔵室に吹き出される冷風の風量を調節する風量調節部と、
前記圧縮機と、前記風量調節部と、の動作を制御する制御部と、
を備え、
前記制御部は、
前記圧縮機の回転数を、前記冷媒循環回路の冷媒の蒸発温度を目標蒸発温度に近づける回転数に変化させ、且つ、
前記風量調節部の風量を、前記貯蔵室の室内温度を目標室内温度に近づける風量に変化させる、
ことを特徴とする冷蔵庫。
【請求項２】
前記目標蒸発温度は、前記目標室内温度に応じて設定される、
ことを特徴とする請求項１に記載の冷蔵庫。
【請求項３】
前記貯蔵室は、複数であり、
前記目標蒸発温度は、最も低温の前記貯蔵室の前記目標室内温度に応じて設定される、
ことを特徴とする請求項２に記載の冷蔵庫。
【請求項４】
前記風量調節部は、
前記冷風を生じさせるファンと、
前記冷風の通過位置の開度を調節する開度調節部と、を有し、
前記制御部は、
前記風量調節部の風量を、前記開度調節部の開度を制御して、変化させる、
ことを特徴とする請求項１〜３のいずれか一項に記載の冷蔵庫。
【請求項５】
前記制御部は、
前記ファンの回転数を、前記圧縮機の回転数に応じて変化させる、
ことを特徴とする請求項４に記載の冷蔵庫。
【請求項６】
前記風量調節部は、
前記冷風を生じさせるファンを有し、
前記制御部は、
前記風量調節部の風量を、前記ファンの回転数を制御して、変化させる、
ことを特徴とする請求項１〜３のいずれか一項に記載の冷蔵庫。
【請求項７】
貯蔵室と、圧縮機と凝縮器と減圧器と蒸発器とが配管で接続された冷媒循環回路と、前記蒸発器が配設された冷却室と、前記冷却室から前記貯蔵室に吹き出される冷風の風量を調節する風量調節部と、を備えた冷蔵庫の制御方法であって、
前記圧縮機の回転数を、前記冷媒循環回路の冷媒の蒸発温度を目標蒸発温度に近づける回転数に変化させ、且つ、
前記風量調節部の風量を、前記貯蔵室の室内温度を目標室内温度に近づける風量に変化させる、
ことを特徴とする冷蔵庫の制御方法。
【発明の詳細な説明】
【技術分野】
【０００１】
本発明は、冷蔵庫と、冷蔵庫の制御方法と、に関するものである。
【背景技術】
【０００２】
従来の冷蔵庫として、貯蔵室と、圧縮機と凝縮器と減圧器と蒸発器とが配管で接続された冷媒循環回路と、蒸発器が配設された冷却室と、冷却室から貯蔵室に吹き出される冷風の風量を調節する風量調節部と、を備えたものがある。そのような冷蔵庫では、貯蔵室の室内温度が目標室内温度と比較して低くなると、圧縮機を停止させて、貯蔵室内の過剰な冷却を抑制している（例えば、特許文献１を参照。）。
【先行技術文献】
【特許文献】
【０００３】
【特許文献１】特開平１１−３０４３３１号公報（段落［０００２］〜段落［０００５］、図１２）
【発明の概要】
【発明が解決しようとする課題】
【０００４】
従来の冷蔵庫では、圧縮機を停止させた後に、冷蔵庫の周囲空気によって貯蔵室の室内温度が上昇すると、圧縮機を再稼働させて、貯蔵室内の冷却を再開する。その際、圧縮機の停止によって冷媒循環回路の冷媒の圧力が均一化されている状態で、再度、冷媒循環回路の冷媒に圧力差を生じさせる必要があるため、Ｏｎ−Ｏｆｆロスが生じて、冷蔵庫の運転効率が低下してしまうという問題点があった。また、貯蔵室の室内温度の変動が大きく、冷蔵庫の貯蔵される食品等の品質維持性能が低いという問題点があった。
【０００５】
本発明は、上記のような課題を背景としてなされたものであり、運転効率と、貯蔵される食品等の品質維持性能と、が向上された冷蔵庫を得るものである。また、本発明は、運転効率と、貯蔵される食品等の品質維持性能と、が向上された冷蔵庫の制御方法を得るものである。
【課題を解決するための手段】
【０００６】
本発明に係る冷蔵庫は、貯蔵室と、圧縮機と凝縮器と減圧器と蒸発器とが配管で接続された冷媒循環回路と、前記蒸発器が配設された冷却室と、前記冷却室から前記貯蔵室に吹き出される冷風の風量を調節する風量調節部と、前記圧縮機と前記風量調節器との動作を制御する制御部と、を備え、前記制御部は、前記圧縮機の回転数を、前記冷媒循環回路の冷媒の蒸発温度を目標蒸発温度に近づける回転数に変化させ、且つ、前記風量調節部の風量を、前記貯蔵室の室内温度を目標室内温度に近づける風量に変化させるものである。
【発明の効果】
【０００７】
本発明に係る冷蔵庫は、制御部が、圧縮機の回転数を、冷媒循環回路の冷媒の蒸発温度を目標蒸発温度に近づける回転数に変化させ、且つ、風量調節部の風量を、貯蔵室の室内温度を目標室内温度に近づける風量に変化させる。そのため、貯蔵室の室内温度に依存して圧縮機が停止して、Ｏｎ−Ｏｆｆロスが生じることが抑制されて、冷蔵庫の運転効率が向上される。また、貯蔵室の室内温度の変動が、風量調節部の風量調節によって抑制されるため、冷蔵庫の運転効率の向上と、冷蔵庫の貯蔵される食品等の品質維持性能の向上と、が両立される。
【図面の簡単な説明】
【０００８】
【図１】実施の形態１に係る冷蔵庫の、概略構成を説明するための図である。
【図２】実施の形態１に係る冷蔵庫の、制御部の構成を説明するための図である。
【図３】実施の形態１に係る冷蔵庫の、急冷安定判別フローを説明するための図である。
【図４】実施の形態１に係る冷蔵庫の、急冷運転制御フローを説明するための図である。
【図５】実施の形態１に係る冷蔵庫の、圧縮機回転数とファン回転数との関係を示す図である。
【図６】実施の形態１に係る冷蔵庫の、安定運転制御フローを説明するための図である。
【図７】実施の形態１に係る冷蔵庫の、蒸発温度と目標蒸発温度との温度差と圧縮機回転数との関係を示す図である。
【図８】実施の形態１に係る冷蔵庫の、室内温度と目標室内温度との温度差とダンパ開度との関係を示す図である。
【図９】実施の形態２に係る冷蔵庫の、概略構成を説明するための図である。
【図１０】実施の形態２に係る冷蔵庫の、制御部の構成を説明するための図である。
【図１１】実施の形態２に係る冷蔵庫の、急冷運転制御フローを説明するための図である。
【図１２】実施の形態２に係る冷蔵庫の、安定運転制御フローを説明するための図である。
【図１３】実施の形態２に係る冷蔵庫の、室内温度と目標室内温度との温度差とファン回転数との関係を示す図である。
【発明を実施するための形態】
【０００９】
以下、本発明に係る冷蔵庫について、図面を用いて説明する。
なお、以下では、本発明に係る冷蔵庫が、貯蔵室として、冷蔵室と冷凍室と野菜室とを備える場合を説明しているが、そのような場合に限定されず、本発明に係る冷蔵庫が、それらの貯蔵室のうちの一部を備えるものであってもよく、また、他の貯蔵室を備えるものであってもよい。また、以下で説明する構成、動作等は、一例であり、本発明に係る冷蔵庫は、そのような構成、動作等である場合に限定されない。また、細かい構造については、適宜図示を簡略化又は省略している。また、重複する説明については、適宜簡略化又は省略している。
【００１０】
実施の形態１．
以下に、実施の形態１に係る冷蔵庫を説明する。
＜冷蔵庫の構成＞
以下に、実施の形態１に係る冷蔵庫の構成について説明する。
（概略構成）
まず、実施の形態１に係る冷蔵庫の概略構成について説明する。
図１は、実施の形態１に係る冷蔵庫の、概略構成を説明するための図である。
【００１１】
図１に示されるように、冷蔵庫１００は、冷蔵室２と、冷凍室３と、野菜室４と、冷却室５と、が形成されたケーシング１を有する。冷蔵室２と冷凍室３と野菜室４とは、それぞれの前面側が、扉６ａ、６ｂ、６ｃによって開閉される。冷蔵室２と冷却室５とは、風路７ａによって連通される。冷凍室３と冷却室５とは、風路７ｂによって連通される。野菜室４と冷却室５とは、風路７ｃによって連通される。
【００１２】
冷蔵庫１００は、圧縮機１２と、凝縮器（熱源側熱交換器）１３と、減圧器１４と、蒸発器（負荷側熱交換器）１５と、が配管（例えば銅管）で接続された冷媒循環回路１１を有する。圧縮機１２は、回転数可変である。蒸発器１５は、冷却室５に設けられる。冷却室５には、蒸発器１５を通過して、風路７ａ、７ｂ、７ｃに流入する気流を生じさせるファン２１が設けられる。ファン２１は、回転数可変である。ファン２１は、蒸発器１５の風下側にあってもよく、また、蒸発器１５の風上側にあってもよい。
【００１３】
風路７ａ、７ｂ、７ｃのそれぞれには、ダンパ２２ａ、２２ｂ、２２ｃが設けられる。ダンパ２２ａ、２２ｂ、２２ｃは、例えば、板状部材と、その板状部材を回転させるアクチュエータと、で構成され、板状部材の回転角度を変化させて、風路７ａ、７ｂ、７ｃの開度（風路断面積）を変化させる。つまり、ダンパ２２ａは、ファン２１によって冷却室５から風路７ａを介して冷蔵室２に吹き出される冷風の、風量を調節する。ダンパ２２ｂは、ファン２１によって冷却室５から風路７ｂを介して冷凍室３に吹き出される冷風の、風量を調節する。ダンパ２２ｃは、ファン２１によって冷却室５から風路７ｃを介して野菜室４に吹き出される冷風の、風量を調節する。ファン２１とダンパ２２ａとは、本発明における「風量調節部」に相当する。ファン２１とダンパ２２ｂとは、本発明における「風量調節部」に相当する。ファン２１とダンパ２２ｃとは、本発明における「風量調節部」に相当する。ダンパ２２ａ、２２ｂ、２２ｃは、本発明における「開度調節部」に相当する。
【００１４】
冷蔵庫１００は、制御部９１を有する。制御部９１は、冷蔵庫１００の動作全般を司る。制御部９１には、圧縮機１２、減圧器１４、ファン２１、ダンパ２２ａ、２２ｂ、２２ｃ等が接続される。制御部９１は、例えば、マイコン、マイクロプロセッサユニット等で構成されてもよく、また、ファームウェア等の更新可能なもので構成されてもよく、また、ＣＰＵ等からの指令によって実行されるプログラムモジュール等であってもよい。
【００１５】
冷蔵室２と冷凍室３と野菜室４とのそれぞれに、各貯蔵室の室内温度ＴＲａ、ＴＲｂ、ＴＲｃを検知する室内温度センサ３１ａ、３１ｂ、３１ｃが設けられる。室内温度センサ３１ａ、３１ｂ、３１ｃは、制御部９１に接続され、その検知結果が制御部９１に出力される。室内温度センサ３１ａ、３１ｂ、３１ｃが、室内温度ＴＲａ、ＴＲｂ、ＴＲｃに置換できる他の物理量を検知するものであってもよい。また、室内温度センサ３１ａ、３１ｂ、３１ｃは、必ずしも図示された箇所に配設されなくてもよく、室内温度ＴＲａ、ＴＲｂ、ＴＲｃ、又は、室内温度ＴＲａ、ＴＲｂ、ＴＲｃに置換できる他の物理量を検知できる箇所であれば、他の箇所に配設されてもよい。また、室内温度センサ３１ａ、３１ｂ、３１ｃのそれぞれが、複数設けられてもよく、例えば、その平均値等が、室内温度ＴＲａ、ＴＲｂ、ＴＲｃとして算出されてもよい。
【００１６】
冷蔵室２と冷凍室３と野菜室４とのそれぞれに、各貯蔵室の扉６ａ、６ｂ、６ｃの開閉を検知する扉開閉センサ３２ａ、３２ｂ、３２ｃが設けられる。扉開閉センサ３２ａ、３２ｂ、３２ｃは、制御部９１に接続され、その検知結果が制御部９１に出力される。扉開閉センサ３２ａ、３２ｂ、３２ｃは、必ずしも図示された箇所に配設されなくてもよく、各貯蔵室の扉６ａ、６ｂ、６ｃの開閉を検知できる箇所であれば、他の箇所に配設されてもよい。
【００１７】
蒸発器１５に、冷媒の蒸発温度ＴＥを検知する蒸発温度センサ３３が設けられる。蒸発温度センサ３３は、制御部９１に接続され、その検知結果が制御部９１に出力される。蒸発温度センサ３３が、蒸発温度ＴＥに置換できる他の物理量を検知するものであってもよい。つまり、蒸発温度センサ３３は、蒸発器１５における冷媒自体の温度を検知して出力するものであってもよく、また、蒸発器１５を構成する部材（配管、フィン等）の温度を検知して出力するものであってもよい。また、蒸発温度センサ３３は、蒸発器１５における冷媒の圧力を検出し、その検出値から冷媒の飽和温度、つまり蒸発温度ＴＥを求めて出力するものであってもよく、また、蒸発器１５における冷媒の圧力自体を出力するものであってもよい。蒸発温度センサ３３は、必ずしも図示された箇所に配設されなくてもよく、蒸発温度ＴＥ、又は、蒸発温度ＴＥに置換できる他の物理量を検知できる箇所であれば、他の箇所に配設されてもよい。
【００１８】
（制御部の構成）
次に、実施の形態１に係る冷蔵庫の制御部の構成について説明する。
図２は、実施の形態１に係る冷蔵庫の、制御部の構成を説明するための図である。
【００１９】
図２に示されるように、制御部９１は、圧縮機回転数制御部９２と、ダンパ開度制御部９３と、ファン回転数制御部９４と、を有する。圧縮機回転数制御部９２は、圧縮機１２の回転数を制御する。ダンパ開度制御部９３は、ダンパ２２ａ、２２ｂ、２２ｃの開度を制御する。ファン回転数制御部９４は、ファン２１の回転数を制御する。
【００２０】
制御部９１は、目標室内温度出力部９５を有する。目標室内温度出力部９５は、各貯蔵室の室内温度ＴＲａ、ＴＲｂ、ＴＲｃの目標値である、目標室内温度ＴＲａ＿ｔ、ＴＲｂ＿ｔ、ＴＲｃ＿ｔを出力する。目標室内温度ＴＲａ＿ｔ、ＴＲｂ＿ｔ、ＴＲｃ＿ｔは、使用者等によって入力されてもよく、また、制御部９１に予め記憶されていてもよく、また、制御部９１によって制御フローの中で随時算出されてもよい。
【００２１】
制御部９１は、目標蒸発温度出力部９６を有する。目標蒸発温度出力部９６は、冷媒の蒸発温度ＴＥの目標値である、目標蒸発温度ＴＥ＿ｔを出力する。目標蒸発温度ＴＥ＿ｔは、最も低温の貯蔵室、つまり冷凍室３の目標室内温度ＴＲｂ＿ｔを用いて、以下の式１で算出される。なお、ΔＴは、蒸発器１５を効率よく用いることができる値に設定される。例えば、ΔＴは、３〜５℃に設定される。
【００２２】
【数１】
2015114091.tif 000003
【００２３】
制御部９１は、急冷安定判別部９７を有する。急冷安定判別部９７は、冷蔵庫１００を急冷運転させるか、それとも、安定運転させるかを判別する。なお、冷蔵庫１００が、使用者等に、冷蔵庫１００を急冷運転させるか、それとも、安定運転させるかを入力させる機能を有していてもよい。ここで、急冷運転は、例えば、冷蔵庫１００の扉６ａ、６ｂ、６ｃが開閉された直後、冷蔵庫１００の電源が投入された直後等に、冷却能力を上げて、一部又は全ての貯蔵室の室内温度ＴＲａ、ＴＲｂ、ＴＲｃを下げる運転と定義される。また、安定運転は、急冷運転の開始から時間が経って、貯蔵室の室内温度ＴＲａ、ＴＲｂ、ＴＲｃが充分低下した後の運転と定義される。
【００２４】
＜冷蔵庫の動作＞
以下に、実施の形態１に係る冷蔵庫の動作について説明する。
（概略動作）
まず、実施の形態１に係る冷蔵庫の概略動作について説明する。
圧縮機１２から吐出された高温高圧のガス状態の冷媒は、凝縮器１３と、ケーシング１の外面等に沿って配設された、圧縮機１２と凝縮器１３との間の配管及び凝縮器１３と減圧器１４との間の配管と、を通ることで、ケーシング１の周囲空気と熱交換し、周囲空気への放熱によって凝縮する。凝縮した高圧の液状態の冷媒は、減圧器１４で減圧されて、低圧の気液二相状態の冷媒になる。低圧の気液二相状態の冷媒は、冷却室５に配設された蒸発器１５で、ファン２１によって各貯蔵室から冷却室５内に導かれた空気と熱交換し、冷却室５内の空気は、冷却され、冷媒は、低圧のガス状態の冷媒になる。低圧のガス状態の冷媒は、圧縮機１２に流入し、再度加圧されて吐出される。
【００２５】
ファン２１によって各貯蔵室から冷却室５内に導かれた空気は、蒸発器１５で冷却されて冷風となった後、風路７ａ、７ｂ、７ｃを通って、各貯蔵室に吹き出される。風路７ａ、７ｂ、７ｃに設けられたダンパ２２ａ、２２ｂ、２２ｃによって、各貯蔵室に吹き出される冷風の風量が調節されることで、各貯蔵室の温度が調節される。各貯蔵室を冷却した空気は、戻り風路を通って冷却室５に流入し、再度、蒸発器１５で冷却される。
【００２６】
（制御部の動作）
次に、実施の形態１に係る冷蔵庫の制御部の動作について説明する。
まず、実施の形態１に係る冷蔵庫の急冷安定判別のフローについて説明する。
図３は、実施の形態１に係る冷蔵庫の、急冷安定判別フローを説明するための図である。
【００２７】
図３に示されるように、急冷安定判別部９７は、Ｓ１０１において、冷蔵庫１００の電源が投入された直後であるか否かを判定する。直後ではない場合は、Ｓ１０２に進み、直後である場合は、急冷運転制御フローに進む。急冷安定判別部９７は、Ｓ１０２において、扉開閉センサ３２ａ、３２ｂ、３２ｃの出力に基づいて、貯蔵室の扉６ａ、６ｂ、６ｃが開閉された直後であるか否かを判定する。直後である場合は、Ｓ１０３に進み、直後ではない場合は、Ｓ１０４に進む。急冷安定判別部９７は、Ｓ１０３において、開閉された扉６ａ、６ｂ、６ｃに対応する貯蔵室の、室内温度センサ３１ａ、３１ｂ、３１ｃで検知された室内温度ＴＲａ、ＴＲｂ、ＴＲｃが、予め貯蔵室毎に設定された設定値ＴＲａ＿ｓｅｔ、ＴＲｂ＿ｓｅｔ、ＴＲｃ＿ｓｅｔと比較して大きいか否かを判定する。大きくない場合は、Ｓ１０４に進み、大きい場合は、急冷運転制御フローに進む。急冷安定判別部９７は、Ｓ１０４において、蒸発器１５の除霜運転が終了した直後であるか否かを判定する。直後ではない場合は、安定運転制御フローに進み、直後である場合は、急冷運転制御フローに進む。
【００２８】
次に、実施の形態１に係る冷蔵庫の急冷運転時の制御フローについて説明する。
図４は、実施の形態１に係る冷蔵庫の、急冷運転制御フローを説明するための図である。図５は、実施の形態１に係る冷蔵庫の、圧縮機回転数とファン回転数との関係を示す図である。
【００２９】
図４に示されるように、制御部９１は、Ｓ２０１において、圧縮機回転数制御部９２に、圧縮機１２の圧縮機回転数ＦＣｏｍｐが、安定運転時の圧縮機１２の圧縮機回転数ＦＣｏｍｐと比較して高い圧縮機回転数ＦＣｏｍｐ＿２になるように、制御させる。また、ダンパ開度制御部９３に、急冷運転させる貯蔵室に対応するダンパ２２ａ、２２ｂ、２２ｃのダンパ開度ＣＰｕｌｓｅが、全開のダンパ開度ＣＰｕｌｓｅ＿ｍａｘになるように、制御させる。また、ファン回転数制御部９４に、ファン２１のファン回転数ＦＦａｎが、安定運転時のファン２１のファン回転数ＦＦａｎと比較して高いファン回転数ＦＦａｎ＿２になるように、制御させる。そして、Ｓ２０２に進む。
【００３０】
例えば、制御部９１は、圧縮機回転数ＦＣｏｍｐとファン回転数ＦＦａｎとの関係を、図５に示される比例関係になるように制御しており、圧縮機回転数ＦＣｏｍｐ＿２とファン回転数ＦＦａｎ＿２とは、その比例関係を満たす値に設定される。
【００３１】
制御部９１は、Ｓ２０２において、急冷運転を開始した後、Ｘ分経過したか否かを判定し、Ｘ分経過した場合には、Ｓ２０３に進む。制御部９１は、Ｓ２０３において、急冷中の貯蔵室の、室内温度センサ３１ａ、３１ｂ、３１ｃで検知された室内温度ＴＲａ、ＴＲｂ、ＴＲｃの、Ｘ分間での室内温度変化量ΔＴＲａ、ΔＴＲｂ、ΔＴＲｃを算出し、予め貯蔵室毎に設定された設定値ΔＴＲａ＿ｓｅｔ、ΔＴＲｂ＿ｓｅｔ、ΔＴＲｃ＿ｓｅｔと比較して小さいか否かを判定する。小さい場合は、Ｓ２０４に進み、小さくない場合は、Ｓ２０５に進む。制御部９１は、Ｓ２０４において、圧縮機回転数制御部９２に、圧縮機回転数ＦＣｏｍｐを増加させて、Ｓ２０５に進む。
【００３２】
例えば、Ｓ２０３において、冷蔵庫１００の電源が投入された直後等において、急冷運転が全ての貯蔵室で行われる場合には、室内温度変化量ΔＴＲａ、ΔＴＲｂ、ΔＴＲｃのいずれかを、１つの設定値ΔＴＲ＿ｓｅｔと比較してもよく、また、全ての室内温度変化量ΔＴＲａ、ΔＴＲｂ、ΔＴＲｃを、全ての設定値ΔＴＲａ＿ｓｅｔ、ΔＴＲｂ＿ｓｅｔ、ΔＴＲｃ＿ｓｅｔと比較して、小さいものが１つ以上有る場合に、Ｓ２０４に進み、小さいものが１つも無い場合に、Ｓ２０５に進んでもよい。急冷運転が、全てではない複数の貯蔵室で行われる場合についても、同様である。
【００３３】
制御部９１は、Ｓ２０５において、急冷中の貯蔵室の、室内温度センサ３１ａ、３１ｂ、３１ｃで検知された室内温度ＴＲａ、ＴＲｂ、ＴＲｃが、予め貯蔵室毎に設定された設定値ＴＲａ＿ｓｅｔ、ＴＲｂ＿ｓｅｔ、ＴＲｃ＿ｓｅｔと比較して小さいか否かを判定する。小さい場合は、急冷安定判別フローに戻り、小さくない場合は、Ｓ２０２に戻る。なお、Ｓ２０５における設定値ＴＲａ＿ｓｅｔ、ＴＲｂ＿ｓｅｔ、ＴＲｃ＿ｓｅｔと、Ｓ１０３における設定値ＴＲａ＿ｓｅｔ、ＴＲｂ＿ｓｅｔ、ＴＲｃ＿ｓｅｔと、は等しい値であってもよく、また、異なる値であってもよい。
【００３４】
次に、実施の形態１に係る冷蔵庫の安定運転時の制御フローについて説明する。
図６は、実施の形態１に係る冷蔵庫の、安定運転制御フローを説明するための図である。図７は、実施の形態１に係る冷蔵庫の、蒸発温度と目標蒸発温度との温度差と圧縮機回転数との関係を示す図である。図８は、実施の形態１に係る冷蔵庫の、室内温度と目標室内温度との温度差とダンパ開度との関係を示す図である。
【００３５】
図６に示されるように、制御部９１は、Ｓ３０１において、安定運転が開始された直後であるか否かを判定し、直後である場合はＳ３０２に進み、直後ではない場合は、Ｓ３０３に進む。
【００３６】
制御部９１は、Ｓ３０２において、圧縮機回転数制御部９２に、圧縮機１２の圧縮機回転数ＦＣｏｍｐが、蒸発温度センサ３３で検知される冷媒の蒸発温度ＴＥを目標蒸発温度出力部９６から出力される目標蒸発温度ＴＥ＿ｔに一致させる圧縮機回転数ＦＣｏｍｐ＿１になるように、制御させる。また、ダンパ開度制御部９３に、安定運転させる貯蔵室に対応するダンパ２２ａ、２２ｂ、２２ｃのダンパ開度ＣＰｕｌｓｅが、その貯蔵室の室内温度センサ３１ａ、３１ｂ、３１ｃで検知される室内温度ＴＲａ、ＴＲｂ、ＴＲｃと、目標室内温度出力部９５から出力されるその貯蔵室の目標室内温度ＴＲａ＿ｔ、ＴＲｂ＿ｔ、ＴＲｃ＿ｔと、の温度差ΔＴＲに応じたダンパ開度ＣＰｕｌｓｅ＿１になるように、制御させる。また、ファン回転数制御部９４に、ファン２１のファン回転数ＦＦａｎが、圧縮機回転数ＦＣｏｍｐ＿１に応じたファン回転数ＦＦａｎ＿１になるように、つまり、圧縮機回転数ＦＣｏｍｐ＿１との関係が例えば図５に示される比例関係になるファン回転数ＦＦａｎ＿１になるように、制御させる。そして、Ｓ３０３に進む。
【００３７】
例えば、制御部９１は、圧縮機回転数ＦＣｏｍｐを、蒸発温度センサ３３で検知される冷媒の蒸発温度ＴＥと目標蒸発温度出力部９６から出力される目標蒸発温度ＴＥ＿ｔとの温度差ΔＴＥに対する関係が、図７に示される比例関係になるように制御しており、圧縮機回転数ＦＣｏｍｐ＿１は、その時点での温度差ΔＴＥ＿１とその比例関係を満たす値に設定される。また、ダンパ開度ＣＰｕｌｓｅ＿１は、その時点での温度差ΔＴＲ＿１と図８に示される一次関数の関係を満たす値に設定される。なお、安定運転が複数の貯蔵室で行われる場合には、ダンパ開度ＣＰｕｌｓｅ＿１が、各貯蔵室毎に異なる値に設定されてもよく、また、同じ値に設定されてもよい。
【００３８】
制御部９１は、Ｓ３０３において、安定運転させる貯蔵室の室内温度センサ３１ａ、３１ｂ、３１ｃで検知される室内温度ＴＲａ、ＴＲｂ、ＴＲｃが、目標室内温度出力部９５から出力されるその貯蔵室の目標室内温度ＴＲａ＿ｔ、ＴＲｂ＿ｔ、ＴＲｃ＿ｔと比較して、小さいか否かを判定する。小さい場合は、Ｓ３０４において、その貯蔵室に供給される冷却空気の過剰を抑制するべく、ダンパ開度制御部９３に、その貯蔵室に対応するダンパ２２ａ、２２ｂ、２２ｃのダンパ開度ＣＰｕｌｓｅを減少させて、Ｓ３０５に進み、小さくない場合は、Ｓ３０５に進む。
【００３９】
制御部９１は、Ｓ３０５において、安定運転させる貯蔵室の室内温度センサ３１ａ、３１ｂ、３１ｃで検知される室内温度ＴＲａ、ＴＲｂ、ＴＲｃが、目標室内温度出力部９５から出力されるその貯蔵室の目標室内温度ＴＲａ＿ｔ、ＴＲｂ＿ｔ、ＴＲｃ＿ｔと比較して、大きいか否かを判定する。大きい場合は、Ｓ３０６において、その貯蔵室に供給される冷却空気の不足を抑制するべく、ダンパ開度制御部９３に、その貯蔵室に対応するダンパ２２ａ、２２ｂ、２２ｃのダンパ開度ＣＰｕｌｓｅを増加させて、Ｓ３０７に進み、小さくない場合は、Ｓ３０７に進む。
【００４０】
制御部９１は、Ｓ３０７において、圧縮機回転数制御部９２に、圧縮機１２の圧縮機回転数ＦＣｏｍｐが、蒸発温度センサ３３で検知される冷媒の蒸発温度ＴＥを目標蒸発温度出力部９６から出力される目標蒸発温度ＴＥ＿ｔに一致させる圧縮機回転数ＦＣｏｍｐになるように、制御させる。また、ファン回転数制御部９４に、ファン２１のファン回転数ＦＦａｎが、圧縮機回転数ＦＣｏｍｐと連動して増減するように、つまり、その時点での圧縮機回転数ＦＣｏｍｐとの関係が例えば図５に示される比例関係になるファン回転数ＦＦａｎになるように、制御させる。
【００４１】
例えば、制御部９１は、圧縮機回転数ＦＣｏｍｐを、蒸発温度センサ３３で検知される冷媒の蒸発温度ＴＥと目標蒸発温度出力部９６から出力される目標蒸発温度ＴＥ＿ｔとの温度差ΔＴＥに対する関係が、図７に示される比例関係になるように制御しており、圧縮機回転数ＦＣｏｍｐは、その時点での温度差ΔＴＥとその比例関係を満たす値に調節される。
【００４２】
なお、Ｓ３０３〜Ｓ３０６において、安定運転させる貯蔵室の室内温度センサ３１ａ、３１ｂ、３１ｃで検知される室内温度ＴＲａ、ＴＲｂ、ＴＲｃと、目標室内温度出力部９５から出力されるその貯蔵室の目標室内温度ＴＲａ＿ｔ、ＴＲｂ＿ｔ、ＴＲｃ＿ｔと、の温度差ΔＴＲの大きさに応じて、その貯蔵室に対応するダンパ２２ａ、２２ｂ、２２ｃのダンパ開度ＣＰｕｌｓｅの減少量又は増加量が、変更されてもよい。つまり、安定運転させる貯蔵室に対応するダンパ２２ａ、２２ｂ、２２ｃのダンパ開度ＣＰｕｌｓｅは、その貯蔵室の室内温度センサ３１ａ、３１ｂ、３１ｃで検知される室内温度ＴＲａ、ＴＲｂ、ＴＲｃを、目標室内温度出力部９５から出力されるその貯蔵室の目標室内温度ＴＲａ＿ｔ、ＴＲｂ＿ｔ、ＴＲｃ＿ｔに近づけるダンパ開度ＣＰｕｌｓｅに、調節されればよい。
【００４３】
また、Ｓ３０７において、圧縮機回転数ＦＣｏｍｐが、Ｓ３０３〜Ｓ３０６と同様に、蒸発温度センサ３３で検知される冷媒の蒸発温度ＴＥと目標蒸発温度出力部９６から出力される目標蒸発温度ＴＥ＿ｔとの温度差ΔＴＥの大きさに関わらず、一定量ずつ増減されてもよい。つまり、圧縮機回転数ＦＣｏｍｐは、蒸発温度センサ３３で検知される冷媒の蒸発温度ＴＥを、目標蒸発温度出力部９６から出力される目標蒸発温度ＴＥ＿ｔに近づける圧縮機回転数ＦＣｏｍｐに、調節されればよい。
【００４４】
（冷蔵庫の作用）
実施の形態１に係る冷蔵庫の作用について説明する。
冷蔵庫１００では、制御部９１が、圧縮機回転数ＦＣｏｍｐを、冷媒循環回路１１の冷媒の蒸発温度ＴＥを目標蒸発温度ＴＥ＿ｔに近づける圧縮機回転数ＦＣｏｍｐに変化させ、且つ、ダンパ開度ＣＰｕｌｓｅを、貯蔵室の室内温度ＴＲａ、ＴＲｂ、ＴＲｃを目標室内温度ＴＲａ＿ｔ、ＴＲｂ＿ｔ、ＴＲｃ＿ｔに近づけるダンパ開度ＣＰｕｌｓｅに変化させる。そのため、貯蔵室の室内温度ＴＲａ、ＴＲｂ、ＴＲｃに依存して圧縮機１２が停止して、Ｏｎ−Ｏｆｆロスが生じることが抑制されて、冷蔵庫１００の運転効率が向上される。また、貯蔵室の室内温度ＴＲａ、ＴＲｂ、ＴＲｃの変動が、ダンパ開度ＣＰｕｌｓｅの調整によって抑制されるため、冷蔵庫１００の運転効率の向上と、冷蔵庫１００の貯蔵される食品等の品質維持性能の向上と、が両立される。
【００４５】
また、冷蔵庫１００では、目標蒸発温度ＴＥ＿ｔが、目標室内温度ＴＲａ＿ｔ、ＴＲｂ＿ｔ、ＴＲｃ＿ｔに応じて設定させる。そのため、貯蔵室の室内温度ＴＲａ、ＴＲｂ、ＴＲｃに依存して、圧縮機回転数ＦＣｏｍｐが変動することを抑制しつつ、圧縮機回転数ＦＣｏｍｐを必要な熱負荷に応じた値に設定することができ、冷蔵庫１００の運転効率が更に向上される。
【００４６】
また、冷蔵庫１００では、目標蒸発温度ＴＥ＿ｔが、最も低温の貯蔵室の目標室内温度ＴＲｂ＿ｔに応じて設定される。そのため、圧縮機回転数ＦＣｏｍｐが不足して、冷蔵庫１００の貯蔵される食品等の品質を悪化させることが抑制される。
【００４７】
また、冷蔵庫１００では、冷却室５から各貯蔵室に吹き出される冷風の風量が、ダンパ開度ＣＰｕｌｓｅの制御によって調節される。そのため、貯蔵室の室内温度ＴＲａ、ＴＲｂ、ＴＲｃの変動を、冷媒循環回路１１の動作に与える影響を低減しつつ、抑制することができるため、冷蔵庫１００の運転効率を向上することと、冷蔵庫１００の貯蔵される食品等の品質維持性能を向上することと、の両立が確実化される。
【００４８】
また、冷蔵庫１００では、制御部９１が、ファン回転数ＦＦａｎを、圧縮機回転数ＦＣｏｍｐに応じて変化させる。そのため、ファン回転数ＦＦａｎを必要な熱負荷に応じた値に設定することができ、冷蔵庫１００の運転効率が更に向上される。
【００４９】
また、冷蔵庫１００では、安定運転と急冷運転とを切り替えることができ、制御部９１が、特に、安定運転に際して、圧縮機回転数ＦＣｏｍｐを、冷媒循環回路１１の冷媒の蒸発温度ＴＥを目標蒸発温度ＴＥ＿ｔに近づける圧縮機回転数ＦＣｏｍｐに変化させ、且つ、ダンパ開度ＣＰｕｌｓｅを、貯蔵室の室内温度ＴＲａ、ＴＲｂ、ＴＲｃを目標室内温度ＴＲａ＿ｔ、ＴＲｂ＿ｔ、ＴＲｃ＿ｔに近づけるダンパ開度ＣＰｕｌｓｅに変化させる。そのため、冷蔵庫１００の冷却性能を犠牲にすることなく、冷蔵庫１００の運転効率の向上と、冷蔵庫１００の貯蔵される食品等の品質維持性能の向上と、を両立することができる。
【００５０】
実施の形態２．
以下、実施の形態２に係る冷蔵庫について説明する。
なお、実施の形態１に係る冷蔵庫と重複する説明は、適宜簡略化又は省略している。
＜冷蔵庫の構成＞
以下に、実施の形態２に係る冷蔵庫の構成について説明する。
（概略構成）
まず、実施の形態２に係る冷蔵庫の概略構成について説明する。
図９は、実施の形態２に係る冷蔵庫の、概略構成を説明するための図である。
【００５１】
図９に示されるように、冷蔵庫１００は、冷却室５から風路７ａを介して冷蔵室２に吹き出される冷風を生じさせるファン２１ａと、冷却室５から風路７ｂを介して冷凍室３に吹き出される冷風を生じさせるファン２１ｂと、冷却室５から風路７ｃを介して野菜室４に吹き出される冷風を生じさせるファン２１ｃと、を有する。制御部９１には、圧縮機１２、減圧器１４、ファン２１ａ、２１ｂ、２１ｃ等が接続される。ファン２１ａ、２１ｂ、２１ｃは、回転数可変である。ファン２１ａ、２１ｂ、２１ｃは、本発明における「風量調節部」に相当する。
【００５２】
（制御部の構成）
次に、実施の形態２に係る冷蔵庫の制御部の構成について説明する。
図１０は、実施の形態２に係る冷蔵庫の、制御部の構成を説明するための図である。
【００５３】
図１０に示されるように、制御部９１は、圧縮機回転数制御部９２と、ファン回転数制御部９４と、を有する。圧縮機回転数制御部９２は、圧縮機１２の回転数を制御する。ファン回転数制御部９４は、ファン２１ａ、２１ｂ、２１ｃの回転数を制御する。
【００５４】
＜冷蔵庫の動作＞
以下に、実施の形態２に係る冷蔵庫の動作について説明する。
（制御部の動作）
実施の形態２に係る冷蔵庫の制御部の動作について説明する。
まず、実施の形態２に係る冷蔵庫の急冷運転時の制御フローについて説明する。
図１１は、実施の形態２に係る冷蔵庫の、急冷運転制御フローを説明するための図である。
【００５５】
図１１に示されるように、制御部９１は、Ｓ４０１において、圧縮機回転数制御部９２に、圧縮機１２の圧縮機回転数ＦＣｏｍｐが、安定運転時の圧縮機１２の圧縮機回転数ＦＣｏｍｐと比較して高い圧縮機回転数ＦＣｏｍｐ＿２になるように、制御させる。また、ファン回転数制御部９４に、急冷運転させる貯蔵室に対応するファン２１ａ、２１ｂ、２１ｃのファン回転数ＦＦａｎが、最大のファン回転数ＦＦａｎ＿ｍａｘになるように、制御させる。そして、Ｓ４０２に進む。
【００５６】
制御部９１は、Ｓ４０２において、急冷運転を開始した後、Ｘ分経過したか否かを判定し、Ｘ分経過した場合には、Ｓ４０３に進む。制御部９１は、Ｓ４０３において、急冷中の貯蔵室の、室内温度センサ３１ａ、３１ｂ、３１ｃで検知された室内温度ＴＲａ、ＴＲｂ、ＴＲｃの、Ｘ分間での室内温度変化量ΔＴＲａ、ΔＴＲｂ、ΔＴＲｃを算出し、予め貯蔵室毎に設定された設定値ΔＴＲａ＿ｓｅｔ、ΔＴＲｂ＿ｓｅｔ、ΔＴＲｃ＿ｓｅｔと比較して小さいか否かを判定する。小さい場合は、Ｓ４０４に進み、小さくない場合は、Ｓ４０５に進む。制御部９１は、Ｓ４０４において、圧縮機回転数制御部９２に、圧縮機回転数ＦＣｏｍｐを増加させて、Ｓ４０５に進む。
【００５７】
例えば、Ｓ４０３において、冷蔵庫１００の電源が投入された直後等において、急冷運転が全ての貯蔵室で行われる場合には、室内温度変化量ΔＴＲａ、ΔＴＲｂ、ΔＴＲｃのいずれかを、１つの設定値ΔＴＲ＿ｓｅｔと比較してもよく、また、全ての室内温度変化量ΔＴＲａ、ΔＴＲｂ、ΔＴＲｃを、全ての設定値ΔＴＲａ＿ｓｅｔ、ΔＴＲｂ＿ｓｅｔ、ΔＴＲｃ＿ｓｅｔと比較して、小さいものが１つ以上有る場合に、Ｓ４０４に進み、小さいものが１つも無い場合に、Ｓ４０５に進んでもよい。急冷運転が、全てではない複数の貯蔵室で行われる場合についても、同様である。
【００５８】
制御部９１は、Ｓ４０５において、急冷中の貯蔵室の、室内温度センサ３１ａ、３１ｂ、３１ｃで検知された室内温度ＴＲａ、ＴＲｂ、ＴＲｃが、予め貯蔵室毎に設定された設定値ＴＲａ＿ｓｅｔ、ＴＲｂ＿ｓｅｔ、ＴＲｃ＿ｓｅｔと比較して小さいか否かを判定する。小さい場合は、急冷安定判別フローに移行し、小さくない場合は、Ｓ４０２に戻る。なお、Ｓ４０５における設定値ＴＲａ＿ｓｅｔ、ＴＲｂ＿ｓｅｔ、ＴＲｃ＿ｓｅｔと、Ｓ１０３における設定値ＴＲａ＿ｓｅｔ、ＴＲｂ＿ｓｅｔ、ＴＲｃ＿ｓｅｔと、は等しい値であってもよく、また、異なる値であってもよい。
【００５９】
次に、実施の形態２に係る冷蔵庫の安定運転時の制御フローについて説明する。
図１２は、実施の形態２に係る冷蔵庫の、安定運転制御フローを説明するための図である。図１３は、実施の形態２に係る冷蔵庫の、室内温度と目標室内温度との温度差とファン回転数との関係を示す図である。
【００６０】
図１２に示されるように、制御部９１は、Ｓ５０１において、安定運転が開始された直後であるか否かを判定し、直後である場合はＳ５０２に進み、直後ではない場合は、Ｓ５０３に進む。
【００６１】
制御部９１は、Ｓ５０２において、圧縮機回転数制御部９２に、圧縮機１２の圧縮機回転数ＦＣｏｍｐが、蒸発温度センサ３３で検知される冷媒の蒸発温度ＴＥを目標蒸発温度出力部９６から出力される目標蒸発温度ＴＥ＿ｔに一致させる圧縮機回転数ＦＣｏｍｐ＿１になるように、制御させる。また、ファン回転数制御部９４に、安定運転させる貯蔵室に対応するファン２１ａ、２１ｂ、２１ｃのファン回転数ＦＦａｎが、その貯蔵室の室内温度センサ３１ａ、３１ｂ、３１ｃで検知される室内温度ＴＲａ、ＴＲｂ、ＴＲｃと、目標室内温度出力部９５から出力されるその貯蔵室の目標室内温度ＴＲａ＿ｔ、ＴＲｂ＿ｔ、ＴＲｃ＿ｔと、の温度差ΔＴＲに応じたファン回転数ＦＦａｎ＿１になるように、制御させる。そして、Ｓ５０３に進む。
【００６２】
例えば、制御部９１は、圧縮機回転数ＦＣｏｍｐを、蒸発温度センサ３３で検知される冷媒の蒸発温度ＴＥと目標蒸発温度出力部９６から出力される目標蒸発温度ＴＥ＿ｔとの温度差ΔＴＥに対する関係が、図７に示される比例関係になるように制御しており、圧縮機回転数ＦＣｏｍｐ＿１は、その時点での温度差ΔＴＥ＿１とその比例関係を満たす値に設定される。また、ファン回転数ＦＦａｎ＿１は、その時点での温度差ΔＴＲ＿１と図１３に示される一次関数の関係を満たす値に設定される。なお、安定運転が複数の貯蔵室で行われる場合には、ファン回転数ＦＦａｎ＿１が、各貯蔵室毎に異なる値に設定されてもよく、また、同じ値に設定されてもよい。
【００６３】
制御部９１は、Ｓ５０３において、安定運転させる貯蔵室の室内温度センサ３１ａ、３１ｂ、３１ｃで検知される室内温度ＴＲａ、ＴＲｂ、ＴＲｃが、目標室内温度出力部９５から出力されるその貯蔵室の目標室内温度ＴＲａ＿ｔ、ＴＲｂ＿ｔ、ＴＲｃ＿ｔと比較して、小さいか否かを判定する。小さい場合は、Ｓ５０４において、その貯蔵室に供給される冷却空気の過剰を抑制するべく、ファン回転数制御部９４に、その貯蔵室に対応するファン２１ａ、２１ｂ、２１ｃのファン回転数ＦＦａｎを減少させて、Ｓ５０５に進み、小さくない場合は、Ｓ５０５に進む。
【００６４】
制御部９１は、Ｓ５０５において、安定運転させる貯蔵室の室内温度センサ３１ａ、３１ｂ、３１ｃで検知される室内温度ＴＲａ、ＴＲｂ、ＴＲｃが、目標室内温度出力部９５から出力されるその貯蔵室の目標室内温度ＴＲａ＿ｔ、ＴＲｂ＿ｔ、ＴＲｃ＿ｔと比較して、大きいか否かを判定する。大きい場合は、Ｓ５０６において、その貯蔵室に供給される冷却空気の不足を抑制するべく、ファン回転数制御部９４に、その貯蔵室に対応するファン２１ａ、２１ｂ、２１ｃのファン回転数ＦＦａｎを増加させて、Ｓ５０７に進み、小さくない場合は、Ｓ５０７に進む。
【００６５】
制御部９１は、Ｓ５０７において、圧縮機回転数制御部９２に、圧縮機１２の圧縮機回転数ＦＣｏｍｐが、蒸発温度センサ３３で検知される冷媒の蒸発温度ＴＥを目標蒸発温度出力部９６から出力される目標蒸発温度ＴＥ＿ｔに一致させる圧縮機回転数ＦＣｏｍｐになるように、制御させる。
【００６６】
例えば、制御部９１は、圧縮機回転数ＦＣｏｍｐを、蒸発温度センサ３３で検知される冷媒の蒸発温度ＴＥと目標蒸発温度出力部９６から出力される目標蒸発温度ＴＥ＿ｔとの温度差ΔＴＥに対する関係が、図７に示される比例関係になるように制御しており、圧縮機回転数ＦＣｏｍｐは、その時点での温度差ΔＴＥとその比例関係を満たす値に調節される。
【００６７】
なお、Ｓ５０３〜Ｓ５０６において、安定運転させる貯蔵室の室内温度センサ３１ａ、３１ｂ、３１ｃで検知される室内温度ＴＲａ、ＴＲｂ、ＴＲｃと、目標室内温度出力部９５から出力されるその貯蔵室の目標室内温度ＴＲａ＿ｔ、ＴＲｂ＿ｔ、ＴＲｃ＿ｔと、の温度差ΔＴＲの大きさに応じて、その貯蔵室に対応するファン２１ａ、２１ｂ、２１ｃのファン回転数ＦＦａｎの減少量又は増加量が、変更されてもよい。つまり、安定運転させる貯蔵室に対応するファン２１ａ、２１ｂ、２１ｃのファン回転数ＦＦａｎは、その貯蔵室の室内温度センサ３１ａ、３１ｂ、３１ｃで検知される室内温度ＴＲａ、ＴＲｂ、ＴＲｃを、目標室内温度出力部９５から出力されるその貯蔵室の目標室内温度ＴＲａ＿ｔ、ＴＲｂ＿ｔ、ＴＲｃ＿ｔに近づけるファン回転数ＦＦａｎに、調節されればよい。
【００６８】
また、Ｓ５０７において、圧縮機回転数ＦＣｏｍｐが、Ｓ５０３〜Ｓ５０６と同様に、蒸発温度センサ３３で検知される冷媒の蒸発温度ＴＥと目標蒸発温度出力部９６から出力される目標蒸発温度ＴＥ＿ｔとの温度差ΔＴＥの大きさに関わらず、一定量ずつ増減されてもよい。つまり、圧縮機回転数ＦＣｏｍｐは、蒸発温度センサ３３で検知される冷媒の蒸発温度ＴＥを、目標蒸発温度出力部９６から出力される目標蒸発温度ＴＥ＿ｔに近づける圧縮機回転数ＦＣｏｍｐに、調節されればよい。
【００６９】
（冷蔵庫の作用）
実施の形態２に係る冷蔵庫の作用について説明する。
冷蔵庫１００では、制御部９１が、圧縮機回転数ＦＣｏｍｐを、冷媒循環回路１１の冷媒の蒸発温度ＴＥを目標蒸発温度ＴＥ＿ｔに近づける圧縮機回転数ＦＣｏｍｐに変化させ、且つ、ファン回転数ＦＦａｎを、貯蔵室の室内温度ＴＲａ、ＴＲｂ、ＴＲｃを目標室内温度ＴＲａ＿ｔ、ＴＲｂ＿ｔ、ＴＲｃ＿ｔに近づけるファン回転数ＦＦａｎに変化させる。そのため、貯蔵室の室内温度ＴＲａ、ＴＲｂ、ＴＲｃに依存して圧縮機１２が停止して、Ｏｎ−Ｏｆｆロスが生じることが抑制されて、冷蔵庫１００の運転効率が向上される。また、貯蔵室の室内温度ＴＲａ、ＴＲｂ、ＴＲｃの変動が、ファン回転数ＦＦａｎの調整によって抑制されるため、冷蔵庫１００の運転効率の向上と、冷蔵庫１００の貯蔵される食品等の品質維持性能の向上と、が両立される。
【００７０】
また、冷蔵庫１００では、冷却室５から各貯蔵室に吹き出される冷風の風量が、ファン回転数ＦＦａｎの制御によって調節される。そのため、貯蔵室の室内温度ＴＲａ、ＴＲｂ、ＴＲｃの変動を抑制することの確実性が向上され、冷蔵庫１００の貯蔵される食品等の品質維持性能を向上することが確実化される。
【００７１】
以上、実施の形態１及び実施の形態２について説明したが、本発明は各実施の形態の説明に限定されない。例えば、実施の形態の全て又は一部を組み合わせることも可能である。
【符号の説明】
【００７２】
１  ケーシング、２  冷蔵室、３  冷凍室、４  野菜室、５  冷却室、６ａ、６ｂ、６ｃ  扉、７ａ、７ｂ、７ｃ  風路、１１  冷媒循環回路、１２  圧縮機、１３  凝縮器、１４  減圧器、１５  蒸発器、２１、２１ａ、２１ｂ、２１ｃ  ファン、２２ａ、２２ｂ、２２ｃ  ダンパ、３１ａ、３１ｂ、３１ｃ  室内温度センサ、３２ａ、３２ｂ、３２ｃ  扉開閉センサ、３３  蒸発温度センサ、９１  制御部、９２  圧縮機回転数制御部、９３  ダンパ開度制御部、９４  ファン回転数制御部、９５  目標室内温度出力部、９６  目標蒸発温度出力部、９７  急冷安定判別部、１００  冷蔵庫。
【図１】
2015114091.tif 000004
【図２】
2015114091.tif 000005
【図３】
2015114091.tif 000006
【図４】
2015114091.tif 000007
【図５】
2015114091.tif 000008
【図６】
2015114091.tif 000009
【図７】
2015114091.tif 000010
【図８】
2015114091.tif 000011
【図９】
2015114091.tif 000012
【図１０】
2015114091.tif 000013
【図１１】
2015114091.tif 000014
【図１２】
2015114091.tif 000015
【図１３】
2015114091.tif 000016